(57)【要約】【課題】  遊技台の台間等の幅狭なスペースに設置可能であるとともに、台間遊技媒体貸機に組み込まれた紙幣識別機や台間遊技媒体貸機自体を遊技台間から引き出す等の煩雑な操作を行うことなく、簡単に収納庫内の紙幣を取り出すことが可能な紙幣識別機を提供する。【解決手段】  一端面２ａに紙幣の投入口２ｂが形成され、複数の紙幣Ｂを積層して収納可能な収納庫２ｃを有する本体２と、投入口２ｂから投入された紙幣を収納庫２ｃ内へ搬送する搬送手段３２，３５，３６，３７，３８，４５と、搬送手段３２，３５，３６，３７，３８，４５による搬送経路上の紙幣を識別する識別手段４３とを備えた紙幣識別機において、収納庫２ｃは、収納された紙幣Ｂの一端部Ｂａが本体２の一端面２ａから突出して露出するよう設けられ、本体２の一端面２ａから突出して露出した収納庫２ｃ内の紙幣Ｂの一端部Ｂａを覆うよう設けられた、一端面２ａに接離動可能なカバー部４を備える。【選択図】          図２
2006350880.tif 000002
【特許請求の範囲】
【請求項１】
一端面に紙幣の投入口が形成され、複数の紙幣を積層して収納可能な収納庫を有する本体と、
前記投入口から投入された紙幣を前記収納庫内へ搬送する搬送手段と、
該搬送手段による搬送経路上の紙幣を識別する識別手段とを備えた紙幣識別機において、
前記収納庫は、収納された紙幣の一端部が前記本体の前記一端面から突出して露出するよう設けられ、
前記本体の前記一端面から突出して露出した前記収納庫内の紙幣の一端部を覆うよう設けられた、該一端面に接離動可能なカバー部材を備えることを特徴とする紙幣識別機。
【請求項２】
前記カバー部材は、前記本体の前記一端面の全面を覆うよう形成され、該一端面の前記投入口に連通して貫通する紙幣導入口が形成されていることを特徴とする請求項１記載の紙幣識別機。
【請求項３】
前記搬送手段は、前記投入口から投入された紙幣の搬送方向を反転させる反転部を有し、反転部で反転させた紙幣を前記収納庫内に導入するとともに、反転させた紙幣の先端部が前記本体の前記一端面から露出する位置まで、紙幣を搬送することを特徴とする請求項１または２記載の紙幣識別機。
【請求項４】
前記カバー部材は、前記本体の前記一端面に対してほぼ垂直な方向に接離動可能に設けられていることを特徴とする請求項１〜３のうちのいずれか一項記載の紙幣識別機。
【請求項５】
前記カバー部材に取り付けられ、前記本体の前記一端面に対してほぼ垂直な方向に沿って設けられた一対の棒状部材と、
該棒状部材を、前記本体の前記一端面に対してほぼ垂直な方向に移動可能に案内する案内部とを備え、
前記カバー部材は、前記棒状部材が前記案内部に案内されて移動することで、前記本体の前記一端面に対してほぼ垂直な方向に接離動可能に設けられていることを特徴とする請求項４記載の紙幣識別機。
【請求項６】
前記カバー部材を、前記本体から離間する方向に付勢する付勢部材と、
前記カバー部材が、前記本体の前記一端面から露出した前記紙幣の一端部を覆う状態となる位置で、カバー部材の移動をロック可能なロック手段とを備えることを特徴とする請求項５記載の紙幣識別機。
【請求項７】
前記カバー部材は、前記本体の前記一端面から離間した状態で、該一端面の正面から外れる方向に回動可能に、前記棒状部材に軸支されて取り付けられていることを特徴とする請求項５または６記載の紙幣識別機。
【請求項８】
各前記棒状部材には、ラック部が形成され、
前記本体には、各前記ラック部に対応して設けられて各ラック部に歯合するピニオンが設けられ、各該ピニオンは軸部材で互いに連結されていることを特徴とする請求項５〜７のうちのいずれか一項記載の紙幣識別機。
【請求項９】
請求項１〜８のうちのいずれか一項記載の紙幣識別機を備え、遊技台の台間に設置されて、ユーザにより紙幣識別機に投入された紙幣に基づいてユーザに遊技媒体を貸し出すことを特徴とする台間遊技媒体貸機。
【請求項１０】
前記紙幣識別機は、前記カバー部材が、当該台間遊技媒体貸機のユーザに向かう外面に露出するよう配設され、
前記カバー部材は、前記本体の前記一端面から離間する際には、前記外面から突出して、該本体の一端面から突出した前記収納庫内の紙幣の一端部をユーザに向かって露出させることを特徴とする請求項９記載の台間遊技媒体貸機。
【発明の詳細な説明】
【技術分野】
【０００１】
本発明は、一端面に紙幣の投入口が形成され、複数の紙幣を積層して収納可能な収納庫を有する本体と、前記投入口から投入された紙幣を前記収納庫内へ搬送する搬送手段と、搬送手段による搬送経路上の紙幣を識別する識別手段とを備えた紙幣識別機、および、その紙幣識別機を備え、遊技台の台間に設置されて、ユーザにより紙幣識別機に投入された紙幣に基づいてユーザに遊技媒体を貸し出す台間遊技媒体貸機に関する。
【背景技術】
【０００２】
パチンコ店等の遊技場において、パチンコ台等の遊技台の台間に、紙幣識別機を備え、ユーザにより紙幣識別機に投入された紙幣に基づいてユーザ（遊技者）にパチンコ玉等の遊技媒体を貸し出す、台間遊技媒体貸機が設置されている。
【０００３】
遊技台の台間は、一般的に数ｃｍ程度の幅しかなく、その幅狭な台間に設置される台間遊技媒体貸機に、紙幣の収納庫を有する紙幣識別機を設ける場合には、収納庫に十分なスペースを確保するとともに収納庫からの紙幣の取り出しを可能とするため、従来より種々の工夫がなされている。
【０００４】
従来の台間遊技媒体貸機に用いられる、収納庫を有する従来の紙幣識別機の一例が、特許文献１に記載されている。特許文献１に記載の紙幣識別機は、複数の紙幣を積層して収納可能なスタッカー部（収納庫）を有する。そして、スタッカー部に収納された紙幣を取り出す際には、スタッカー部を外部ケースに対して摺動させて、台間遊技媒体機の手前側（台間遊技媒体機の、ユーザに向かうパネル面の外方）に引き出す。すると、スタッカー部の前半体が回動して、スタッカー部内の紙幣の手前側の端部を紙幣識別装置の側方に突出させて露出させ、遊技店の店員等は、紙幣識別装置の側方から紙幣を取り出すことができる。
【０００５】
【特許文献１】特開２００２−１６３７０３号公報
【発明の開示】
【発明が解決しようとする課題】
【０００６】
しかしながら、特許文献１に記載の紙幣識別機では、紙幣を紙幣識別装置の側方から取り出すために、紙幣の回収の際には、紙幣識別装置の側面を露出させる必要がある。したがって、紙幣識別装置の側面を、ユーザ（遊技店の店員等）に対して露出させるために、紙幣識別装置を台間遊技媒体機の手前側（パネル面の外方）に引き出したり、または台間遊技媒体貸機自体を遊技台間から手前側に引き出すなどの操作が必要であるという課題がある。
【０００７】
本発明は上記課題を解決すべくなされ、その目的とするところは、遊技台の台間等の幅狭なスペースに設置可能であるとともに、台間遊技媒体貸機に組み込まれた紙幣識別機や台間遊技媒体貸機自体を遊技台間から引き出す等の煩雑な操作を行うことなく、簡単に収納庫内の紙幣を取り出すことが可能な紙幣識別機、および、それを用いた台間遊技媒体貸機を提供することにある。
【課題を解決するための手段】
【０００８】
本発明に係る紙幣識別機は、上記課題を解決するため次の構成を備える。
すなわち、一端面に紙幣の投入口が形成され、複数の紙幣を積層して収納可能な収納庫を有する本体と、前記投入口から投入された紙幣を前記収納庫内へ搬送する搬送手段と、該搬送手段による搬送経路上の紙幣を識別する識別手段とを備えた紙幣識別機において、前記収納庫は、収納された紙幣の一端部が前記本体の前記一端面から突出して露出するよう設けられ、前記本体の前記一端面から突出して露出した前記収納庫内の紙幣の一端部を覆うよう設けられた、該一端面に接離動可能なカバー部材を備えることを特徴とする。
これによれば、紙幣の投入口が形成された本体の一端面と同一面から、紙幣の一端部が本体外に突出して露出し、紙幣の一端部が接離動可能なカバー部材で覆われているから、カバー部材を前記一端面から離間させるだけで、紙幣をその一端部を掴んで容易に取り出すことが可能となる。また、収納庫は本体の前記一端面側が開口するだけのシンプルな構造で構成でき、収納庫に余計な機構を設ける必要がないため、本体を幅狭に形成しても、収納庫に十分なスペースを確保できる。
【０００９】
さらに、前記カバー部材は、前記本体の前記一端面の全面を覆うよう形成され、該一端面の前記投入口に連通して貫通する紙幣導入口が形成されていることを特徴とする。
これによれば、本体の前記一端部全面を単一のカバー部材で覆うことで、カバー部材をより堅牢に構成してセキュリティ強度を高めることができる。
【００１０】
また、前記搬送手段は、前記投入口から投入された紙幣の搬送方向を反転させる反転部を有し、反転部で反転させた紙幣を前記収納庫内に導入するとともに、反転させた紙幣の先端部が前記本体の前記一端面から露出する位置まで、紙幣を搬送することを特徴とする。
これによれば、簡単かつコンパクトな構成で、紙幣の一端部を露出させることができる。
【００１１】
また、前記カバー部材は、前記本体の前記一端面に対してほぼ垂直な方向に接離動可能に設けられていることを特徴とする。
これによれば、カバー部材のみを露出させた状態で、紙幣識別機を台間遊技媒体貸機等に組み込むことができる。すなわち、その状態から、カバー部材を、前記本体の前記一端面に対してほぼ垂直な方向に移動させて、前記紙幣の一端部を露出させて紙幣を取り出すことが可能となる。
【００１２】
さらに、前記カバー部材に取り付けられ、前記本体の前記一端面に対してほぼ垂直な方向に沿って設けられた一対の棒状部材と、該棒状部材を、前記本体の前記一端面に対してほぼ垂直な方向に移動可能に案内する案内部とを備え、前記カバー部材は、前記棒状部材が前記案内部に案内されて移動することで、前記本体の前記一端面に対してほぼ垂直な方向に接離動可能に設けられていることを特徴とする。
これによれば、カバー部材を、本体の前記一端面に対してほぼ垂直な方向に、安定して接離動させることができる。
【００１３】
さらに、前記カバー部材を、前記本体から離間する方向に付勢する付勢部材と、前記カバー部材が、前記本体の前記一端面から露出した前記紙幣の一端部を覆う状態となる位置で、カバー部材の移動をロック可能なロック手段とを備えることを特徴とする。
これによれば、カバー部材を、本体の前記一端面とその一端面から露出した紙幣の一端部とを覆う状態となる位置でロックすることができ、そのロックを解除した際には、付勢部材の付勢力によってカバー部材が自動的に本体の前記一端面から離間するように移動される。
【００１４】
また、前記カバー部材は、前記本体の前記一端面から離間した状態で、該一端面の正面から外れる方向に回動可能に、前記棒状部材に軸支されて取り付けられていることを特徴とする。
これによれば、カバー部材を、本体の前記一端面に対してほぼ垂直な方向に移動させて当該一端面から離間させた際、カバー部材を棒状部材に対して回動させてカバー部材を当該一端面の正面から移動させることができるため、収納庫内の紙幣の取り出しがより容易となる。
【００１５】
また、各前記棒状部材には、ラック部が形成され、前記本体には、各前記ラック部に対応して設けられて各ラック部に歯合するピニオンが設けられ、各該ピニオンは軸部材で互いに連結されていることを特徴とする。
これによれば、カバー部材が移動する際、ピニオンの回転によって、カバー部材の長手方向の両端部の移動量が等しくなるため、ガタの発生を防ぐことができる。
【００１６】
また、本発明に係る台間遊技媒体貸機は、上記課題を解決するため次の構成を備える。
すなわち、請求項１〜８のうちのいずれか一項記載の紙幣識別機を備え、遊技台の台間に設置されて、ユーザにより紙幣識別機に投入された紙幣に基づいてユーザに遊技媒体を貸し出すことを特徴とする。
さらに、前記カバー部材が、当該台間遊技媒体貸機のユーザに向かう外面に露出するよう配設され、前記カバー部材は、前記本体の前記一端面から離間する際には、前記外面から突出して、該本体の一端面から突出した前記収納庫内の紙幣の一端部をユーザに向かって露出させることを特徴とする。
これによれば、紙幣識別機は、紙幣の投入口が形成された本体の一端面と同一面から、紙幣の一端部が本体外に突出して露出し、紙幣の一端部が接離動可能なカバー部材で覆われているから、カバー部材を前記一端面から離間させるだけで、紙幣をその一端部を掴んで容易に取り出すことが可能となる。
【発明の効果】
【００１７】
本発明に係る紙幣識別機および台間遊技媒体貸機によれば、遊技台の台間等の幅狭なスペースに設置可能であるとともに、台間遊技媒体貸機に組み込まれた紙幣識別機や台間遊技媒体貸機自体を遊技台間から引き出す等の煩雑な操作を行うことなく、簡単に収納庫内の紙幣を取り出すことが可能である。
【発明を実施するための最良の形態】
【００１８】
以下、本発明に係る紙幣識別機および台間遊技媒体貸機の好適な実施の形態について、添付図面を用いて詳細に説明する。
図１〜図３は、本実施の形態に係る紙幣識別機Ｖの斜視説明図である。
紙幣識別機Ｖは、ほぼ直方体状の本体２と、本体２の一端面２ａ（図２参照）全面を覆うよう設けられ、一端面２ａに接離動可能なカバー部材４とを備える。
【００１９】
本体２には、カバー部材４に覆われる一端面２ａに、紙幣の投入口２ｂが形成される。
また、本体２は、図４の平断面図に示すように、複数の紙幣Ｂを積層して収納可能な収納庫２ｃを有する。収納庫２ｃは、収納された紙幣Ｂの一端部Ｂａが本体２の一端面２ａから突出して本体２から露出するよう設けられる。すなわち、収納庫２ｃは、本体２の一端面２ａ側で開口し（開口部２ｄ）、その開口部２ｄから紙幣Ｂの一端部Ｂａが突出して本体２から露出するよう設けられている。
【００２０】
カバー部材４は、本体２の前記一端面２ａと、一端面２ａから突出して露出した紙幣Ｂの一端部Ｂａとを覆よう設けられる。カバー部材４の、本体２の一端面２ａとの対向面には、紙幣Ｂの一端部Ｂａが入り込む凹部４ｂが形成される（図４参照）。
また、カバー部材４には、本体２の前記一端面２ａの投入口２ｂに連通して貫通する紙幣導入口４ａが形成される。
【００２１】
図１〜図３に示すように、カバー部材４は、本体２の一端面２ａに対し接離動可能に設けられる。
カバー部材４は、その長手方向の各両端部に、本体２の側面に沿って延びる延出部４ｃ，４ｃを有する。カバー部材４の各延出部４ｃ，４ｃは、先端部に設けられた支軸４ｄ，４ｄによりそれぞれ棒状部材６，６に軸支されて、投入される紙幣面に対し垂直な平面内で回動可能に設けられている。
【００２２】
本体２の外側面には、一対の棒状部材６，６のそれぞれを、本体２の前記一端面２ａに対して垂直な方向に沿って支持するとともに、本体２の前記一端面２ａに対して垂直な方向に移動可能に案内する案内部８，８が設けられる。
図５の説明図に示すように、各棒状部材６，６にはラック部６ａ，６ａが形成され、本体２には、各ラック部６ａ，６ａに対応して設けられて各ラック部６ａ，６ａに歯合する、共通の軸部材１０ａで互いに連結されたピニオン１０，１０が設けられている。なお、軸部材１０ａは、後述する反転部での反転前の紙幣の搬送経路と反転後の搬送経路との間に設けられている（図４参照）。
カバー部材４は、棒状部材６，６が案内部８，８に案内されて移動することで、本体２の前記一端面２ａに対してほぼ垂直な方向に接離動可能に設けられている。
【００２３】
また、カバー部材４は、その重心が、延出部４ｃ，４ｃの支軸４ｄ，４ｄの軸線を棒状部材６の移動方向に延長した平面上からずれた位置となるよう設けられている。本実施の形態では、カバー部材４の重心は、カバー部材４の正面（紙幣導入口４ａが外部に開口した面）に向かって右側に偏るよう構成されている。なお、この重心の偏りは、カバー部材４の一部に錘を取り付けたり、カバー部材４の肉厚を部位によって変えたりすることで実現することができる。
【００２４】
また、図１に示すように、棒状部材６，６は、取り付けられたカバー部材４が本体２から離間する方向に、付勢部材としてのコイルばね１２，１２により付勢されている。コイルばね１２は、その一端が、棒状部材６のカバー部材４の取り付けられた端部の他端部のピン６ｂに取り付けられ、他端が、前記一端よりカバー部材４寄りの本体２（より詳細には、本体２側面に固定された案内部８）に取り付けられる。
【００２５】
また、図５の説明図に示すように、紙幣識別機Ｖは、カバー部材４が本体２の前記一端面２ａを覆う状態となる所定位置で、棒状部材６を係止することでカバー部材４の移動をロックするロック手段１４を備える。ロック手段１４は、ソレノイド１４ａと、ソレノイド１４ａにより往復移動可能に設けられ、先端部に係合爪が形成された係合部材１４ｂと、係合部材１４ｂを常時棒状部材６の側面に押し付けるための付勢部材１４ｃと、棒状部材６の側面に形成され、前記係合爪が進入して係合可能な開口部６ｃとから成る。
図５は、係合部材１４ｂが、付勢部材１４ｃによって棒状部材６の方へ付勢されて、前記係合爪が開口部６ｃ内に進入して係合し、棒状部材６の移動がロックされている状態を示している（図１の状態）。
【００２６】
このロックの解除は、マイコン制御部１６がソレノイド１４ａを駆動制御して、係合部材１４ｂを、付勢部材１４ｃの付勢力に抗して開口部６ｃから係合爪を抜く方向に移動させることで行うことができる。ロック手段１４によりカバー部材４が本体２の前記一端面２ａを覆う状態で移動がロックされた状態（図１）から、ロック手段１４によるロックを解除すると、コイルばね１２の付勢力により、カバー部材４が前記一端面２ａから離間する方向に移動され（図６の状態）、前記一端面２ａおよび一端面２ａから突出した紙幣Ｂの一端部Ｂａが、外部に露出される（図２の状態）。
また、ユーザによってカバー部材４が一端面２ａを覆う位置に押し込まれた際には、前記係合爪と開口部６ｃとの位置が合ったときに付勢部材１４ｃの付勢力により係合部材１４ｂが移動して前記係合爪が開口部６ｃに進入し、カバー部材４の移動が自動的に再ロックされる。
【００２７】
なお、カバー部材４を、本体２の一端面２ａから露出した紙幣Ｂの一端部Ｂａを覆う状態となる位置で、カバー部材４の移動をロックするロック手段の構成は、前記ロック手段１４の構成に限定されるものではない。例えば、ラック部６ａ、ピニオン１０または軸部材１０ａを係止することで棒状部材６の移動をロックするよう構成してもよいし、カバー部材４に係止部を設けて、カバー部材４の移動を係止するよう構成してもよい。
【００２８】
続いて、紙幣識別機Ｖの内部構成について説明する。
図４に示すように、紙幣識別機Ｖは、紙幣の投入口２ｂから奥の方に直線上に並べられて設けられた複数のプーリー３５，３５・・と、各プーリー３５，３５・・よりもさらに奥に位置する、各プーリー３５，３５・・よりも大径の奥プーリー３６と、投入口２ｂから奥の方に、プーリー３５，３５・・とはずれた位置に並べられた複数のプーリー３８，３８・・とを備える。プーリー３５，３６，３８には、送りベルト３２が掛け渡されている。
【００２９】
押圧ローラ３７，３７・・は、各プーリー３５，３５・・とそれぞれ対向位置し、図示しない付勢部材で付勢されて各プーリー３５，３５・・との間で送りベルト３２を挟圧する。押圧ローラ３７は、本体２の前記一端面２ａの他端側に軸４１により回動自在に軸支されて送りベルト３２を開放自在に覆う本体２の蓋体２ｅの内面側に配設されている。押圧ローラ３７の回転軸は蓋体２ｅに設けた長孔（図示せず）に軸支されて、付勢部材により付勢されることにより送りベルト３２に圧接される。
【００３０】
また、紙幣識別機Ｖは、投入口２ｂから投入された紙幣の搬送方向を反転させるための反転部を構成する反転ガイド４５を有する。反転ガイド４５は断面が半円弧状の板状に形成され、奥プーリー３６の奥側半周の外周を覆って、その内側の円弧面（ガイド面）と奥プーリー３６（送りベルト３２の面）との間に紙幣が進入しうる隙間があくように設定されている。
奥プーリー３６は、図示しないモータに連繋されて回転駆動される。
【００３１】
これらの、モータ、奥プーリー３６、プーリー３５，３５・・、プーリー３８，３８・・、送りベルト３２、押圧ローラ３７，３７・・、および反転ガイド４５により、投入口２ｂから投入された紙幣を、本体２の収納庫２ｃ内へ搬送する搬送手段が構成される。
【００３２】
紙幣識別機Ｖは、投入口２ｂの傍らに設けられた投入口センサ６６を備え、投入口２ｂから紙幣が投入されたことを検出する。
また、紙幣識別機Ｖは、紙幣を識別する識別手段を構成するセンサ４３，４３を備える。センサ４３，４３は、前記搬送手段による搬送経路上の傍らに設けられ、搬送経路上の紙幣を走査して、紙幣の種類や真贋を識別する。識別手段は公知の構成を採用でき、センサ４３およびセンサ４３からの検知信号が入力されてその入力された検知信号とあらかじめ入力されているデータとを比較して識別するマイコン制御部を有し、例えば紙幣の印刷インクに混入された磁性粉の磁気を検知して、混入の有無や混入パターンから識別したり、印刷インクからの赤外光の反射パターンを検出して識別したりする機構を採用できる。
【００３３】
また、紙幣識別機Ｖは、前記搬送手段によって収納庫２ｃ内に送り込まれた紙幣を、収納庫２ｃ内に好適に積層して収納するための押し込み板５５を有する押し込み手段を備える。押し込み板５５は、図示しないカム機構によって収納庫２ｃ内へ移動制御されることで、前記反転部を通過して収納庫２ｃ内に進入した紙幣を、収納庫２ｃ内に押し込んで完全に移動させてストックさせる。
【００３４】
次に、本実施の形態に係る紙幣識別機Ｖを備え、遊技台の台間に設置される台間遊技媒体貸機Ｒの構成について説明する。図７は、本実施の形態に係る紙幣識別機Ｖを備えた台間遊技媒体貸機Ｒの、紙幣識別機Ｖが配設された部分を示す説明図である。
【００３５】
台間遊技媒体貸機Ｒは、遊技者（ユーザ）により紙幣識別機Ｖに投入された紙幣に基づいて遊技者にパチンコ玉やメダル等の遊技媒体を貸し出す。
図７に示すように、台間遊技媒体貸機Ｒは、遊技台に隣接する本体カバー２０と、ユーザ（遊技者）に向かう外面のパネル部２２と、カバー部材４がパネル部２２と連続して外側に露出するよう配設された前述の紙幣識別機Ｖと、パネル部２２に設けられユーザが操作可能な図示しない貸し出しボタンと、遊技媒体を払い出すための、パネル部２２に設けられた図示しない遊技媒体払出口とを備える。
【００３６】
遊技者が、紙幣識別機Ｖに紙幣を投入するとともに、前記貸し出しボタンを押下すると、台間遊技媒体貸機Ｒのマイコン制御部は投入され識別された紙幣の価額に対応するだけの遊技媒体を、前記遊技媒体払出口から払い出すよう制御を行う。
また、図８に示すように、紙幣識別機Ｖは、カバー部材４が本体２の一端面２ａから離間する際には、パネル部２２から突出して、収納庫２ｃ内の紙幣Ｂの一端部Ｂａをユーザに向かって露出させる。
【００３７】
次に、紙幣識別機Ｖに紙幣が投入された際の動作等を説明する。
紙幣は、カバー部材４の紙幣導入口４ａを介して、投入口２ｂから先端が送りベルト３２と押圧ローラ３７との間に至るよう投入される。投入口センサ６６により紙幣が感知されると、前記モータにより奥プーリー３６が回転駆動され、奥プーリー３６の回転に伴って送りベルト３２が回転することにより、紙幣がセンサ４３を所定範囲にわたって通過するまで送り込まれる。
センサ４３では公知の機構により、紙幣が本物か否かを、あるいは必要に応じてその金額を識別する。紙幣が偽造あるいは変造等の場合には前記モータが逆方向に回転駆動され、紙幣を投入口２ｂから排出する。紙幣が本物であると判別された場合には、前記モータが駆動され、紙幣を本体２の奥方へ送り込む。
【００３８】
そして、紙幣の先端部が、反転ガイド４５に達すると、反転ガイド４５の内周面で下方に案内される。紙幣は、奥プーリー３６および送りベルト３２と、反転ガイド４５の内周面との間に挟まれて移動されて搬送方向が反転され、収納庫２ｃ内に導入される。
そして、紙幣の先端部（一端部Ｂａ）が開口部２ｄから本体２外に突出する位置まで送られると、前記モータの駆動を停止する。
次いで、前記押し込み手段により押し込み板５５を駆動し、紙幣Ｂを収納庫２ｃ内に完全に移動させ、紙幣を収納庫２ｃ内に積層した状態でストックさせる。
【００３９】
続いて、台間遊技媒体貸機Ｒの紙幣識別機Ｖから、収納された紙幣Ｂを取り出す際の動作等を説明する。
遊技店の店員等のユーザが、所定のリモコン等を操作して台間遊技媒体貸機Ｒに、紙幣識別機Ｖのカバー部材４を開放することを命令する信号を送信すると、台間遊技媒体貸機Ｒのマイコン制御部は、内蔵する紙幣識別機Ｖに対して、カバー部材４を開放することを命令する信号を送信する。
【００４０】
前記命令を受信した紙幣識別機Ｖのマイコン制御部１６は、ロック手段１４のソレノイド１４ａを駆動制御して、棒状部材６に対する前記ロックを解除する（図５および図６参照）。すると、棒状部材６は、コイルばね１２の付勢力によって、カバー部材４が前記一端面２ａから離間する方向（カバー部材４が台間遊技媒体貸機Ｒのパネル部２２から突出する方向）に移動する。この移動は、棒状部材６のピン６ｂが案内部８の端部に当たったところで止まり、図２に示す状態となる。棒状部材６の移動が止まると、カバー部材４は、その重心がカバー部材４の正面（紙幣導入口４ａが外部に開口した面）に向かって右側に偏るよう構成されているから、前記移動の慣性力によって支軸４ｄ，４ｄを軸として正面に向かって左側に回動し、図３に示す状態となる。
【００４１】
これにより、収納庫２ｃ内の紙幣Ｂの一端部Ｂａが前記店員等のユーザに向かって露出し、ユーザはその一端部Ｂａを掴んで紙幣Ｂを取り出すことができる。
また、紙幣Ｂの取り出しが済んだ後には、ユーザは、カバー部材４を、一端面２ａを覆う位置まで押し込むことで、ロック手段１４の付勢部材１４ｃにより係合部材１４ｂが駆動して、カバー部材４の移動が自動的に再ロックされる（図６参照）。
【００４２】
本実施の形態に係る台間遊技媒体貸機Ｒおよび紙幣識別機Ｖによれば、紙幣の投入口２ｂが形成された本体２の一端面２ａと同一面から、紙幣Ｂの一端部Ｂａが本体２外に露出し、本体２の一端面２ａと紙幣Ｂの一端部Ｂａとが接離動可能なカバー部材４で覆われているから、カバー部材４を台間遊技媒体貸機Ｒのパネル部２２から突出させるよう移動させるだけで紙幣Ｂを取り出すことが可能となる。また、収納庫２ｃは本体２の一端面２ａ側が開口するだけのシンプルな構造で構成でき、収納庫２ｃに余計な機構を設ける必要がないため、本体２を幅狭に形成しても、収納庫２ｃに十分なスペースを確保できる。
特に、収納庫２ｃに収納された紙幣Ｂの一端部Ｂａが、本体２の一端面２ａから突出しているから、ユーザはその一端部Ｂａを掴みやすく、簡単に紙幣Ｂを取り出すことができる。
【００４３】
また、カバー部材４の移動機構は、棒状部材６，６、案内部８，８、コイルばね１２，１２、およびロック手段１４といったシンプルな構成で実現でき、カバー部材４を、本体２の一端面２ａに対してほぼ垂直な方向に、安定して接離動させることができる。
特に、各棒状部材６，６にはラック部６ａ，６ａが形成され、本体２には、各ラック部６ａ，６ａに対応して設けられて各ラック部６ａ，６ａに歯合する、共通の軸部材１０ａで連結されたピニオン１０，１０が設けられているから、カバー部材４が移動する際、ピニオン１０，１０の回転によって、カバー部材４の長手方向の両端部の移動量が等しくなるため、ガタの発生を防ぐことができる。
また、カバー部材４を、本体２の一端面２ａと一端面２ａから露出した紙幣Ｂの一端部Ｂａとを覆う状態となる位置でロックすることができ、そのロックを解除した際には、コイルばね１２，１２の付勢力によってカバー部材４が本体２の一端面２ａから離間するように自動的に移動されるから、簡単な操作で収納庫２ｃ内の紙幣Ｂの回収を行うことができる。
【００４４】
また、カバー部材４は、棒状部材６に対して回動可能に軸支されているため、カバー部材４を本体２の一端面２ａから離間させた際、カバー部材４を回動させてカバー部材４を当該一端面２ａの正面から移動させることができるため、収納庫２ｃ内の紙幣Ｂの取り出しが容易となる。
特に、カバー部材４は、その重心がカバー部材４の正面（紙幣導入口４ａが外部に開口した面）に向かって右側に偏るよう構成されているから、棒状部材６の開放時の移動が停止した際に、カバー部材４は移動の慣性力によって支軸４ｄ，４ｄを軸として、正面に向かって左側に自動的に回動し、ユーザがカバー部材４を操作することなく、自動的にカバー部材４が一端面２ａの正面から外れた位置へと移動する。
なお、カバー部材４を、本体２の一端面２ａから離間した状態で、一端面２ａの正面から外れる方向に回動可能とする構成は、上記構成に限定されない。例えば、図９に示すように、カバー部材４を本体２の一端面２ａに接離動させるための棒状部材７を、カバー部材の４の長手方向の一端部に一本のみ固定して設け、棒状部材７をその軸線を中心に回動させることで、カバー部材４を一端面２ａの正面から外れる方向に回動できるよう構成してもよい。
【００４５】
なお、本実施の形態においては、本体２の一端面２ａはほぼ平面上に形成され、一端面２ａから突出した紙幣Ｂの一端部Ｂａがカバー部材４の凹部４ｂ内に収まるよう構成したが、本発明の構成はこれに限定されない。例えば、本体２の一端面２ａの、紙幣Ｂが露出する開口部２ｄの周縁部を、窪ませて形成することで、紙幣Ｂの一端部Ｂａが一端面２ａの窪んだ部分に対して突出するよう構成しても良い。
【図面の簡単な説明】
【００４６】
【図１】本発明に係る紙幣識別機の斜視説明図である。
【図２】本発明に係る紙幣識別機の斜視説明図である。
【図３】本発明に係る紙幣識別機の斜視説明図である。
【図４】本発明に係る紙幣識別機の平断面図である。
【図５】本発明に係る紙幣識別機のカバー部材の移動機構の説明図である。
【図６】本発明に係る紙幣識別機のカバー部材の移動機構の説明図である。
【図７】本発明に係る台間遊技媒体貸機の斜視説明図である。
【図８】本発明に係る台間遊技媒体貸機の斜視説明図である。
【図９】本発明に係る紙幣識別機の斜視説明図である。
【符号の説明】
【００４７】
Ｖ  紙幣識別機
Ｒ  台間遊技媒体貸機
Ｂ  紙幣
Ｂａ  紙幣の一端部
Ｐ  遊技台
２  本体
２ａ  一端面
２ｂ  投入口
２ｃ  収納庫
２ｄ  開口部
２ｅ  本体の蓋体
４  カバー部材
４ａ  紙幣導入口
４ｂ  凹部
４ｃ  延出部
４ｄ  支軸
６  棒状部材
６ａ  ラック部
６ｂ  ピン
８  案内部
１０  ピニオン
１０ａ  軸部材
１２  コイルばね（付勢部材）
１４  ロック手段
２２  パネル部（ユーザに向かう外面）
３２  送りベルト（搬送手段）
３５，３８  プーリー（搬送手段）
３６  奥プーリー（搬送手段、反転部）
３７  押圧ローラ（搬送手段）
４３  センサ（識別手段）
４５  反転ガイド（反転部）
【図１】
2006350880.tif 000003
【図２】
2006350880.tif 000004
【図３】
2006350880.tif 000005
【図４】
2006350880.tif 000006
【図５】
2006350880.tif 000007
【図６】
2006350880.tif 000008
【図７】
2006350880.tif 000009
【図８】
2006350880.tif 000010
【図９】
2006350880.tif 000011